(57)【要約】【課題】ゲート引出線及びソース信号線の配線検査を個別に容易に行うことができる表示パネルを提供する。【解決手段】画素領域１ａと額縁領域１ｂとを有する表示パネル１であって、画素領域１ａに設けられた、第１方向に延在する複数のゲート信号線２１０、第２方向に延在する複数のソース信号線３１０及び第２方向に延在する複数のゲート引出線２２０と、反ソース辺に沿った額縁領域１ｂに設けられた、ゲート引出線２２０と電気的に接続され且つゲート引出線２２０よりも幅広の電極である第１パッド２６０、ソース信号線３１０と電気的に接続され且つソース信号線３１０よりも幅広の電極である複数の第２パッド３６０とを備え、ゲート信号線２１０とゲート引出線３１０とは互いの複数の交差部のうちの少なくとも１箇所で接続され、複数の第１パッド２６０と複数の第２パッド３６０とは、それぞれ異なる列で第１方向に沿って一列で配列されている。【選択図】図１
2019174773.tif 000002
【特許請求の範囲】
【請求項１】
複数の画素によって構成された画素領域と、前記画素領域を囲む額縁領域と、を有する表示パネルであって、
前記画素領域に設けられた、第１方向に延在する複数のゲート信号線、前記第１方向と異なる第２方向に延在する複数のソース信号線、及び、前記第２方向に延在する複数のゲート引出線と、
反ソース辺に沿った前記額縁領域に設けられた、前記ゲート引出線と電気的に接続され且つ前記ゲート引出線よりも幅広の電極である複数の第１パッド、及び、前記ソース信号線と電気的に接続され且つ前記ソース信号線よりも幅広の電極である複数の第２パッドと、を備え、
前記複数のゲート信号線と前記複数のゲート引出線とは、前記画素領域内における前記複数のゲート信号線と前記複数のゲート引出線との複数の交差部のうちの少なくとも１箇所で接続され、
前記複数の第１パッドと、前記複数の第２パッドとは、それぞれ、異なる列で、前記第１方向に沿って一列で配列されている、
表示パネル。
【請求項２】
前記複数の第２パッドは、前記複数の第１パッドよりも前記画素領域に近い位置に設けられている
請求項１に記載の表示パネル。
【請求項３】
前記ソース信号線と前記ゲート引出線とは、同層に配置され、前記第１方向に隣接する２つの画素の間を延在している、
請求項１又は２に記載の表示パネル。
【請求項４】
前記第１パッドは、前記第２パッドと前記第２方向に沿って並んで配置されている、
請求項３に記載の表示パネル。
【請求項５】
前記ゲート引出線と前記第１パッドとは、隣接する２つの前記第２パッドの間を通る中継配線によって接続されている、
請求項４に記載の表示パネル。
【請求項６】
前記複数のゲート信号線を覆う絶縁膜を更に含み、
前記複数のソース信号線は、前記絶縁膜の上に配置されており、
前記中継配線は、前記複数のゲート信号線と同層に配置されている、
請求項５に記載の表示パネル。
【請求項７】
前記中継配線は、前記ゲート引出線と、前記絶縁膜に形成されたコンタクトホールを経由して、電気的に接続されている、
請求項５に記載の表示パネル。
【請求項８】
前記第１パッド及び前記第２パッドの少なくとも一方は、前記ゲート信号線と同層の下部層と、前記下部層の上に積層され、前記ソース信号線と同層の上部層とを有する、
請求項１〜７のいずれか１項に記載の表示パネル。
【請求項９】
前記複数のゲート引出線は、３本の前記ソース信号線ごとに１本設けられており、
前記複数の第１パッドは、３つの前記第２パッドごとに１つ設けられている、
請求項１〜８のいずれか１項に記載の表示パネル。
【請求項１０】
前記第１方向に隣接する２つの画素の間に延在する前記ソース信号線と前記ゲート引出線との間の間隔は、前記第１パッドと前記第２パッドとのそれぞれの前記第２方向の中心線の間隔と、同じである、
請求項５に記載の表示パネル。
【発明の詳細な説明】
【技術分野】
【０００１】
本開示は、表示パネルに関し、特に表示パネルの配線検査技術に関する。
【背景技術】
【０００２】
表示パネルは、基板上にゲート信号線及びソース信号線等の配線と複数の薄膜トランジスタ（ＴＦＴ；Ｔｈｉｎ  Ｆｉｌｍ  Ｔｒａｎｓｉｓｔｏｒ）とが形成されたＴＦＴ基板を有する。ＴＦＴ基板において、ゲート信号線は、行方向に延在するように複数本形成され、ソース信号線は、列方向に延在するように複数本形成され、ＴＦＴは、各ゲート信号線と各ソース信号線との交点近傍に形成される。
【０００３】
ＴＦＴ基板を作製した後は、ＴＦＴ基板に形成された配線等の検査を行う。従来、ＴＦＴ基板の配線を検査する方法として、複数の配線に接続された複数の検査用パッドを予めＴＦＴ基板の周辺領域（額縁領域）に並べて形成しておき、この複数の検査用パッドに検査用プローブを順次接触させることで配線を検査する技術が知られている（例えば特許文献１）。
【先行技術文献】
【特許文献】
【０００４】
【特許文献１】特開２０１４−２３５４０２号公報
【発明の概要】
【発明が解決しようとする課題】
【０００５】
表示パネルには、ゲート信号線にゲート信号を供給するゲートドライバＩＣとソース信号線に映像信号を供給するソースドライバＩＣとが実装される。ゲートドライバＩＣ及びソースドライバＩＣの実装方法としては、例えば、ゲートドライバＩＣ及びソースドライバＩＣをフレキシブル配線基板に実装したＴＣＰ（Ｔａｐｅ  Ｃａｒｒｉｅｒ  Ｐａｃｋａｇｅ）を表示パネルの額縁領域に接続するＣＯＦ（Ｃｈｉｐ  Ｏｎ  Ｆｉｌｍ）方式、あるいは、ゲートドライバＩＣ及びソースドライバＩＣをＴＦＴ基板上に直接搭載するＣＯＧ（Ｃｈｉｐ  Ｏｎ  Ｇｌａｓｓ  ）方式が挙げられる。このため、表示パネルの額縁領域には、ゲートドライバＩＣ及びソースドライバＩＣを実装するための端子電極が形成されている。
【０００６】
一般的に、ゲートドライバＩＣ及びソースドライバＩＣは、矩形状の表示パネルの隣り合う２辺の額縁領域に実装されるが、近年、表示パネルの狭額縁化等を目的として、ゲートドライバＩＣ及びソースドライバＩＣを額縁領域の同じ辺に実装する技術が提案されている。例えば、ゲートドライバＩＣ及びソースドライバＩＣを列方向に対向する２つの辺のうちの一方の辺のみに実装することが考えられる。
【０００７】
この場合、ゲートドライバＩＣと行方向に延在するゲート信号線とを電気的に接続するために、列方向に延在する複数のゲート引出線を別途形成し、交差する複数のゲート引出線と複数のゲート信号線とをコンタクトホールを介して接続する。これにより、ゲートドライバＩＣとソースドライバＩＣとを同じ辺に実装した場合でも、ゲート引出線を介してゲートドライバＩＣとゲート信号線とを電気的に接続することができる。
【０００８】
しかしながら、表示パネルにゲート引出線を形成すると、列方向には複数のソース信号線に加えて複数のゲート引出線が延在することになり、ゲート引出線とソース信号線との配線検査を個別に行うことが難しくなる。
【０００９】
本開示は、このような課題を解決するためになされたものであり、ゲート引出線及びソース信号線の配線検査を個別に容易に行うことができる表示パネルを提供することを目的とする。
【課題を解決するための手段】
【００１０】
上記目的を達成するために、本開示に係る表示パネルの一態様は、複数の画素によって構成された画素領域と、前記画素領域を囲む額縁領域と、を有する表示パネルであって、前記画素領域に設けられた、第１方向に延在する複数のゲート信号線、前記第１方向と異なる第２方向に延在する複数のソース信号線、及び、前記第２方向に延在する複数のゲート引出線と、反ソース辺に沿った前記額縁領域に設けられた、前記ゲート引出線と電気的に接続され且つ前記ゲート引出線よりも幅広の電極である複数の第１パッド、及び、前記ソース信号線と電気的に接続され且つ前記ソース信号線よりも幅広の電極である複数の第２パッドと、を備え、前記複数のゲート信号線と前記複数のゲート引出線とは、前記画素領域内における前記複数のゲート信号線と前記複数のゲート引出線との複数の交差部のうちの少なくとも１箇所で接続され、前記複数の第１パッドと、前記複数の第２パッドとは、それぞれ、異なる列で、前記第１方向に沿って一列で配列されている。
【発明の効果】
【００１１】
ゲート引出線及びソース信号線の配線検査を個別に容易に行うことができる。
【図面の簡単な説明】
【００１２】
【図１】実施の形態に係る画像表示装置の概略構成を模式的に示す図である。
【図２】実施の形態に係る表示パネルにおけるＴＦＴ基板の部分拡大図である。
【図３】実施の形態に係る表示パネルにおけるＴＦＴ基板の第１メタル層の配線パターンを示す平面図である。
【図４】実施の形態に係る表示パネルにおけるＴＦＴ基板の第２メタル層の配線パターンを示す平面図である。
【図５】実施の形態に係る表示パネルのＴＦＴ基板に形成されたゲート引出線及びソース信号線を検査するときの様子を示す図である。
【発明を実施するための形態】
【００１３】
以下、本開示の実施の形態について説明する。なお、以下に説明する実施の形態は、いずれも本開示の一具体例を示すものである。したがって、以下の実施の形態で示される、数値、形状、材料、構成要素、及び、構成要素の配置位置や接続形態などは、一例であって本開示を限定する主旨ではない。よって、以下の実施の形態における構成要素のうち、本開示の最上位概念を示す独立請求項に記載されていない構成要素については、任意の構成要素として説明される。
【００１４】
各図は模式図であり、必ずしも厳密に図示されたものではない。したがって、各図において縮尺等は必ずしも一致していない。また、各図において、実質的に同一の構成に対しては同一の符号を付しており、重複する説明は省略又は簡略化する。
【００１５】
（実施の形態）
実施の形態に係る画像表示装置１０の概略構成について、図１を用いて説明する。図１は、実施の形態に係る画像表示装置１０の概略構成を模式的に示す図である。
【００１６】
画像表示装置１０は、マトリクス状に配列された複数の画素によって構成された画素領域に画像（映像）を表示する。画像表示装置１０に表示される画像は、静止画像及び動画像のいずれであってもよい。
【００１７】
図１に示すように、画像表示装置１０は、表示パネル１と、ゲートＣＯＦ２と、ソースＣＯＦ３と、画像処理回路４とを備える。本実施の形態において、画像表示装置１０は、液晶表示装置であるので、表示パネル１は、液晶表示パネルである。したがって、図示しないが、画像表示装置１０は、表示パネル１の背面側に配置されたバックライトを備える。
【００１８】
表示パネル１は、カラー画像を表示する液晶表示パネルであって、一対の基板間に液晶層が設けられた液晶セルと、液晶セルを挟む一対の偏光板とを含む。
【００１９】
一対の基板の一方は、ＴＦＴ及び配線等が形成されたＴＦＴ基板１０１であり、一対の基板の他方は、Ｒ（赤）、Ｇ（緑）及びＢ（青）の各々のカラーフィルタ（ＣＦ）が形成されたＣＦ基板１０２である。なお、表示パネル１の液晶駆動方式は、例えばＩＰＳ（Ｉｎ  Ｐｌａｎｅ  Ｓｗｉｔｃｈｉｎｇ）方式又はＦＦＳ（Ｆｒｉｎｇｅ  Ｆｉｅｌｄ  Ｓｗｉｔｃｈｉｎｇ）方式等の横電界方式であるが、ＶＡ（Ｖｅｒｔｉｃａｌ  Ａｌｉｇｎｍｅｎｔ）方式又はＴＮ（Ｔｗｉｓｔｅｄ  Ｎｅｍａｔｉｃ）方式等であってもよい。
【００２０】
図１に示すように、表示パネル１は、複数の画素によって構成された画素領域１ａと、画素領域１ａを囲む額縁領域１ｂとを有する。複数の画素の各々には、ゲート電極、ソース電極及びドレイン電極を有するＴＦＴと、液晶層を駆動するための画素電極及び共通電極（コモン電極）とが設けられている。
【００２１】
画素領域１ａは、画像が表示される画像表示領域である。額縁領域１ｂは、表示パネル１の周辺領域であって、画素領域１ａの外側に位置する領域である。本実施の形態において、表示パネル１の平面視形状は、矩形状である。したがって、画素領域１ａの形状は、矩形状であり、額縁領域１ｂの形状は、矩形枠状である。
【００２２】
表示パネル１は、第１方向に延在する複数のゲート信号線２１０と、第１方向とは異なる第２方向に延在する複数のソース信号線３１０とを備える。本実施の形態において、複数のゲート信号線２１０は、行方向に延在している。一方、複数のソース信号線３１０は、画素領域１ａの行方向に交差する方向である列方向に延在している。
【００２３】
行方向に延在するゲート信号線２１０は、行方向に並ぶ複数の画素の各々のＴＦＴのゲート電極に接続されている。一方、列方向に延在するソース信号線３１０は、列方向に並ぶ複数の画素の各々のＴＦＴのソース電極及びドレイン電極の一方に接続されている。なお、各画素において、ＴＦＴのソース電極及びドレイン電極の他方は、画素電極に接続されている。
【００２４】
表示パネル１は、さらに、第２方向に延在する複数のゲート引出線２２０を備える。具体的には、複数のゲート引出線２２０は、列方向に延在している。つまり、複数のゲート引出線２２０は、複数のソース信号線３１０と平行に形成されており、また、複数のゲート信号線２１０と交差している。このように、表示パネル１には、行方向に延在する横ゲート線であるゲート信号線２１０に加えて、列方向に延在する縦ゲート線であるゲート引出線２２０が設けられている。
【００２５】
複数のゲート信号線２１０、複数のソース信号線３１０及び複数のゲート引出線２２０は、少なくとも画素領域１ａに設けられている。具体的には、複数のゲート信号線２１０、複数のソース信号線３１０及び複数のゲート引出線２２０は、画素領域１ａの全域にわたって設けられている。
【００２６】
ゲート信号線２１０とソース信号線３１０とは平面視において交差するので、ゲート信号線２１０とソース信号線３１０とは異なるメタル層に形成されている。同様に、ゲート信号線２１０とゲート引出線２２０とは平面視において交差するので、ゲート信号線２１０とゲート引出線２２０とは異なるメタル層に形成されている。また、列方向に延在するソース信号線３１０とゲート引出線２２０とは、同層に配置されている（つまり同一のメタル層に形成されている）。
【００２７】
本実施の形態において、ゲート信号線２１０が形成される第１メタル層は、ソース信号線３１０及びゲート引出線２２０が形成される第２メタル層よりも下層である。具体的には、ゲート信号線２１０は、絶縁膜によって覆われており、ソース信号線３１０及びゲート引出線２２０は、この絶縁膜の上に配置されている。つまり、ゲート信号線２１０が形成される第１メタル層とソース信号線３１０及びゲート引出線２２０が形成される第２メタル層との間には、層間膜として絶縁膜が形成されている。
【００２８】
複数のゲート信号線２１０の各々は、１つ以上のゲート引出線２２０と電気的に接続されている。具体的には、複数のゲート信号線２１０と複数のゲート引出線２２０とは、画素領域１ａ内における複数のゲート信号線２１０と複数のゲート引出線２２０との複数の交差部のうちの少なくとも１箇所で接続されている。より具体的には、ゲート信号線２１０とゲート引出線２２０とは、第１メタル層と第２メタル層との間の絶縁膜にコンタクトホールを形成することによって構成されたコンタクト部２３１で接続されている。本実施の形態において、行方向に延在する１本のゲート信号線２１０は、列方向に延在する２本のゲート引出線２２０に接続されている。つまり、１本のゲート信号線２１０は、２箇所のコンタクト部２３１において２本のゲート引出線２２０に接続されている。
【００２９】
ゲートＣＯＦ２は、ＦＦＣ（Ｆｌｅｘｉｂｌｅ  Ｆｌａｔ  Ｃａｂｌｅ）又はＦＰＣ（Ｆｌｅｘｉｂｌｅ  Ｐｒｉｎｔｅｄ  Ｃａｂｌｅ）等のフレキシブル基板にゲートドライバＩＣ２ａが実装されたＴＣＰであり、ＣＯＦ方式により、表示パネル１の額縁領域１ｂに実装されている。具体的には、表示パネル１の額縁領域１ｂの一辺には複数のゲート端子電極からなるゲート端子部が設けられており、ゲートＣＯＦ２は、例えばＡＣＦ（Ａｎｉｓｏｔｒｏｐｉｃ  Ｃｏｎｄｕｃｔｉｖｅ  Ｆｉｌｍ）圧着によりゲート端子電極に接続される。
【００３０】
ゲートＣＯＦ２のゲートドライバＩＣ２ａは、ゲート信号線２１０と電気的に接続されている。本実施の形態において、ゲートドライバＩＣ２ａは、ゲート引出線２２０を介してゲート信号線２１０と電気的に接続されている。
【００３１】
また、ゲートドライバＩＣ２ａとゲート引出線２２０とは、額縁領域１ｂに設けられたゲート中継配線２４０によって接続されている。ゲート中継配線２４０は、ゲート引出線２２０と同層のメタル層に形成されており、コンタクト部２３２及び２３３を介してゲート引出線２２０に接続されている。本実施の形態において、ゲート中継配線２４０は、ソース信号線３１０と同層に形成されている。したがって、コンタクト部２３２及び２３３は、ゲート信号線２１０が形成される第１メタル層と、ゲート中継配線２４０及びソース信号線３１０が形成される第２メタル層との間の絶縁膜に形成されたコンタクトホールによって構成されている。
【００３２】
ゲートドライバＩＣ２ａは、ゲート信号として、画像処理回路４から入力されるタイミング信号に応じて映像信号を書き込む画素のトランジスタをオンする電圧（ゲートオン電圧）をゲート信号線２１０に供給する。
【００３３】
ソースＣＯＦ３は、ゲートＣＯＦ２と同様に、ＦＦＣ又はＦＰＣ等のフレキシブル基板にソースドライバＩＣ３ａが実装されたＴＣＰであり、ＣＯＦ方式により、表示パネル１の額縁領域１ｂに実装されている。具体的には、表示パネル１の額縁領域１ｂにおけるゲート端子部と同じ辺には複数のソース端子電極からなるソース端子部が設けられており、ソースＣＯＦ３は、例えばＡＣＦ圧着によりソース端子電極に接続される。
【００３４】
このように、ゲートＣＯＦ２が接続されるゲート端子部とソースＣＯＦ３が接続されるソース端子部とが額縁領域１ｂの同じ辺に設けられているので、ゲートＣＯＦ２とソースＣＯＦ３とは額縁領域１ｂの同じ辺に実装される。本実施の形態において、全てのゲートＣＯＦ２と全てのソースＣＯＦ３とは、額縁領域１ｂの４辺のうち列方向に対向する２つの辺のうちの一方の辺のみに接続されている。
【００３５】
ソースＣＯＦ３のソースドライバＩＣ３ａは、ソース信号線３１０と電気的に接続されている。本実施の形態において、ソースドライバＩＣ３ａとソース信号線３１０とは、額縁領域１ｂに設けられたソース中継配線３４０によって接続されている。ソース中継配線３４０は、ソース信号線３１０と同じメタル層に形成されており、ソース中継配線３４０とソース信号線３１０とはコンタクト部を介することなく連続的に形成されている。
【００３６】
ソースドライバＩＣ３ａは、ゲートドライバＩＣ２ａによるゲート信号線２１０の選択に合わせて、選択されたゲート信号線２１０に接続されるＴＦＴのそれぞれに、画像処理回路４から入力される各画素の階調値を表す映像信号に応じた電圧をソース信号線３１０に供給する。これにより、選択されたゲート信号線２１０に対応する画素に映像信号が書き込まれる。
【００３７】
画像処理回路４は、ＣＰＵ等の演算処理回路と、ＲＯＭやＲＡＭ等のメモリとを備えている。画像処理回路４には映像データが入力される。画像処理回路４、ＣＰＵがメモリに格納されたプログラムを読み出して実行することにより各種の処理を実行する。具体的には、画像処理回路４は、映像データに対して色調整等の各種の画像信号処理を行って各画素の階調値を示す映像信号とタイミング信号を生成し、映像信号をソースドライバＩＣ３ａに出力するとともにタイミング信号をゲートドライバＩＣ２ａに出力する。
【００３８】
このように構成される表示パネル１では、ゲートドライバＩＣ２ａからゲートオン電圧がゲート信号線２１０に供給されると、選択された画素のトランジスタがオンし、このトランジスタに接続されたソース信号線３１０から映像信号が画素電極に供給される。そして、画素電極に供給された映像信号によるデータ電圧と、画素電極の対となる共通電極に供給されたコモン電圧との差により表示パネル１の液晶層に電界が生じる。この電界により各画素における液晶層の液晶分子の配向状態が変化し、表示パネル１を通過するバックライトの光の透過率が画素ごとに制御される。これにより、表示パネル１の画素領域１ａに所望の画像が表示される。
【００３９】
また、表示パネル１は、複数の第１パッド２６０と、複数の第２パッド３６０とを有する。複数の第１パッド２６０及び複数の第２パッド３６０は、表示パネル１の額縁領域１ｂに設けられている。具体的には、複数の第１パッド２６０及び複数の第２パッド３６０は、額縁領域１ｂの４辺のうちのソースＣＯＦ３が接続された辺に対向する辺（反ソース辺）に沿った額縁領域１ｂに設けられている。つまり、額縁領域１ｂの４辺のうち列方向に対向する２つの辺のうちの一方の辺にはソースＣＯＦ３が実装され、額縁領域１ｂの４辺のうち列方向に対向する２つの辺のうちの他方の辺には複数の第１パッド２６０及び複数の第２パッド３６０に設けられている。このように、複数の第１パッド２６０と複数の第２パッド３６０とは、額縁領域１ｂにおける同じ辺に設けられている。
【００４０】
複数の第１パッド２６０は、ゲート引出線２２０を検査するための第１検査用パッドであり、複数のゲート引出線２２０の各々と電気的に接続されている。つまり、複数の第１パッド２６０と複数のゲート引出線２２０とは、一対一の関係で設けられている。複数の第１パッド２６０は、額縁領域１ｂの一辺に沿って配列されている。なお、ゲート引出線２２０はゲート信号線２１０と電気的に接続されているので、第１パッド２６０は、ゲート引出線２２０とこのゲート引出線２２０に接続されたゲート信号線２１０とを含めたゲート用配線を検査するためのゲート配線検査用パッドである。
【００４１】
複数の第２パッド３６０は、ソース信号線３１０を検査するための第２検査用パッド（ソース配線検査用パッド）であり、複数のソース信号線３１０の各々と電気的に接続されている。つまり、複数の第２パッド３６０と複数のソース信号線３１０とは、一対一の関係で設けられている。複数の第２パッド３６０は、額縁領域１ｂの一辺に沿って配列されている。
【００４２】
ここで、第１パッド２６０及び第２パッド３６０の詳細な構造について、図２〜図４を用いて説明する。図２は、実施の形態に係る表示パネル１におけるＴＦＴ基板１０１の部分拡大図である。図３は、同ＴＦＴ基板１０１の第１メタル層の配線パターンを示す平面図であり、図４は、同ＴＦＴ基板１０１の第２メタル層の配線パターンを示す平面図である。なお、図２〜図４では、表示パネル１の額縁領域１ｂの一部を拡大して示している。また、図２及び図３では、第１メタル層に対応する部分をハッチングで示している。
【００４３】
図２に示すように、ゲート引出線２２０に接続された第１パッド２６０は、ゲート引出線２２０よりも幅広の電極である。また、ソース信号線３１０に接続された第２パッド３６０は、ソース信号線３１０よりも幅広の電極である。
【００４４】
複数の第１パッド２６０と複数の第２パッド３６０とは、それぞれ、行方向に沿って一列で配列されているが、異なる列で行方向に沿って一列で配列されている。つまり、複数の第１パッド２６０の列と複数の第２パッド３６０の列とが異なる段に位置している。
【００４５】
本実施の形態において、複数の第２パッド３６０は、複数の第１パッド２６０よりも画素領域１ａに近い位置に設けられている。つまり、複数の第２パッド３６０の列は、複数の第１パッド２６０の列よりも画素領域１ａ側に位置している。
【００４６】
複数の第１パッド２６０の列は、第１パッド２６０が接続されるゲート引出線２２０及びそのゲート引出線２２０が接続されるゲート信号線２１０を検査する際のゲート検査領域ＧＩＡを構成している。また、複数の第２パッド３６０の列は、第２パッド３６０が接続されるソース信号線３１０を検査する際のソース検査領域ＳＩＡを構成している。
【００４７】
本実施の形態において、複数のゲート引出線２２０は、３本のソース信号線３１０ごとに１本設けられている。具体的には、ゲート引出線２２０は、赤色用画素、緑色用画素及び青色用画素の行方向に並ぶ３つの画素ＰＩＸを１つの繰り返し単位として、赤色用画素と青色用画素との間に設けられている。したがって、ゲート引出線２２０に接続される複数の第１パッド２６０は、ソース信号線３１０に接続される３つの第２パッド３６０ごとに１つ設けられている。
【００４８】
この場合、第１パッド２６０は、第２パッド３６０と列方向に沿って並んで配置されている。具体的には、第１パッド２６０及び第２パッド３６０は、ソース信号線３１０を延長したときの直線上に位置するように並んでいる。
【００４９】
本実施の形態において、ソース信号線３１０とゲート引出線２２０とは、近接して配置されており、行方向に隣接する２つの画素ＰＩＸ（赤色用画素、青色用画素）との間を延在している。したがって、第１パッド２６０及び第２パッド３６０は、ゲート引出線２２０を延長したときの直線上に位置するようにも並んでいる。
【００５０】
行方向に隣接する２つの画素ＰＩＸの間に延在するゲート引出線２２０とソース信号線３１０との間の間隔は、第１パッド２６０と第２パッド３６０とのそれぞれの列方向の中心線の間隔と同じである。
【００５１】
このように、第１パッド２６０と第２パッド３６０とが列方向に沿って並んで配置されているので、ゲート引出線２２０と第１パッド２６０との列方向の間には第２パッド３６０が存在する。このため、ゲート引出線２２０を列方向に直線上に延長して第１パッド２６０に接続することができない。そこで、ゲート引出線２２０と複数の第１パッド２６０の各々とは、複数の第２パッド３６０のうちの隣接する２つの第２パッド３６０の間を通る中継配線２５０によって接続されている。中継配線２５０は、ゲート引出線２２０と第１パッド２６０とを接続するための検査用中継配線であり、ゲート引出線２２０から第２パッド３６０を避けるように引き回されて第１パッド２６０に接続されている。具体的には、中継配線２５０は、途中で行方向に延在する部分を含む。
【００５２】
また、第１パッド２６０及び第２パッド３６０は、複数層によって構成されている。具体的には、第１パッド２６０は、図３に示すように、ゲート信号線２１０と同層の第１メタル層である下部層２６０ａと、図４に示すように、下部層２６０ａの上に積層され、ソース信号線３１０及びゲート引出線２２０と同層の第２メタル層である上部層２６０ｂとを有する。
【００５３】
同様に、第２パッド３６０は、図３に示すように、ゲート信号線２１０と同層の第１メタル層である下部層３６０ａと、図４に示すように、下部層３６０ａの上に積層され、ソース信号線３１０及びゲート引出線２２０と同層の第２メタル層である上部層３６０ｂとを有する。
【００５４】
ゲート信号線２１０が形成される第１メタル層とソース信号線３１０及びゲート引出線２２０が形成される第２メタル層との間には絶縁膜が形成されている。つまり、第１メタル層のゲート信号線２１０は、絶縁膜によって覆われており、第２メタル層のソース信号線３１０及びゲート引出線２２０は、この絶縁膜の上に配置されている。
【００５５】
なお、本実施の形態では、第１パッド２６０及び第２パッド３６０の両方が複数層によって構成されているが、これに限らず、第１パッド２６０及び第２パッド３６０の一方が複数層によって構成されていてもよい。
【００５６】
また、図３に示すように、中継配線２５０は、複数のゲート信号線２１０と同層の第１メタル層に配置されている。中継配線２５０とゲート引出線２２０とは、第１メタル層と第２メタル層との間の絶縁膜にコンタクトホールを形成することによって構成されたコンタクト部２３４で接続されている。つまり、中継配線２５０は、第１メタル層と第２メタル層との間の絶縁膜に形成されたコンタクトホールを経由してゲート引出線２２０と電気的に接続されている。
【００５７】
図２に示すように、第１パッド２６０は、第１配線部２６１と、第２配線部２６２とを有する。第１配線部２６１は、複数のゲート引出線２２０（複数のゲート信号線２１０）を連続的に検査する際に、検査用プローブによってなぞられるなぞり部である。つまり、第１配線部２６１は、検査時に検査用プローブによって擦られる部分である。一方、第２配線部２６２は、ゲート引出線２２０又はゲート信号線２１０の断線位置を特定する際に、検査用端子を接触させるためのパッド部である。したがって、第１配線部２６１及び第２配線部２６２の表面は、検査時に露出している。
【００５８】
同様に、第２パッド３６０は、第１配線部３６１と、第２配線部３６２とを有する。第１配線部３６１は、複数のソース信号線３１０を連続的に検査する際に、検査用プローブによってなぞられるなぞり部である。つまり、第１配線部３６１は、第１配線部２６１と同様に、検査時に検査用プローブによって擦られる部分である。第２配線部３６２は、ソース信号線３１０の断線位置を特定する際に、検査用端子を接触させるためのパッド部である。したがって、第１配線部３６１及び第２配線部３６２の表面は、検査時に露出している。
【００５９】
図３及び図４に示すように、第１パッド２６０において、第１配線部２６１は、下部層２６０ａと上部層２６０ｂとの２層構造であるが、第２配線部２６２は、上部層２６０ｂのみで構成されている。
【００６０】
同様に、第２パッド３６０において、第１配線部３６１は、下部層３６０ａと上部層３６０ｂとの２層構造であるが、第２配線部３６２は、上部層３６０ｂのみで構成されている。
【００６１】
次に、ゲート引出線２２０及びソース信号線３１０の検査方法について、図５を用いて説明する。図５は、実施の形態に係る表示パネル１のＴＦＴ基板１０１に形成されたゲート引出線２２０及びソース信号線３１０を検査するときの様子を示す図である。なお、図５に示す矢印は、検査用プローブ４００の走査方向の一例を示している。
【００６２】
ゲート引出線２２０及びソース信号線３１０の検査は、ゲート引出線２２０及びソース信号線３１０を形成した直後に行う。具体的には、ガラス基板の上に、ゲート信号線２１０、ゲート引出線２２０、ソース信号線３１０を作製した後に、ＴＦＴ基板１０１に形成されたゲート引出線２２０及びソース信号線３１０等の各種配線の検査を行う。
【００６３】
このとき、ソース信号線３１０を検査する場合は、図５に示すように、各々がソース信号線３１０に接続された複数の第２パッド３６０の列に沿って検査用プローブ４００を走査する。具体的には、ソース信号線３１０に接続された第２パッド３６０の列に沿って、第２パッド３６０の第１配線部３６１を検査用プローブ４００で順次擦りながらなぞるようにして検査用プローブ４００を複数の第２パッド３６０に摺動させていく。
【００６４】
同様に、ゲート引出線２２０を検査する場合は、各々がゲート引出線２２０に接続された複数の第１パッド２６０の列に沿って検査用プローブ４００を走査する。具体的には、ゲート引出線２２０に接続された第１パッド２６０の列に沿って、第１パッド２６０の第１配線部２６１を検査用プローブ４００で順次擦りながらなぞるようにして検査用プローブ４００を複数の第１パッド２６０に摺動させていく。
【００６５】
ゲート引出線２２０及びソース信号線３１０の欠陥判定は、例えば、検査用プローブ４００によって検出された信号（容量）の差を見ることで行うことができる。このとき、検査用プローブ４００によって信号が検出されなかった場合は、ゲート引出線２２０又はソース信号線３１０に断線不良の欠陥が発生していることが分かる。なお、断線不良が発生した場合は、第１パッド２６０の第２配線部２６２又は第２パッド３６０の第２配線部３６２を用いることで、断線しているゲート引出線２２０又はソース信号線３１０を特定することができる。
【００６６】
この検査によって欠陥が発生していることが分かった場合には、例えば、断線不良が発覚した場合には、断線している配線をつなぎ直し、欠陥を修正する。そして、欠陥が修復された後に、次のステップ、例えば、絶縁膜の形成工程に移行する。この様に、早期のタイミングで、欠陥を発見することができ、欠陥を比較的容易に修正することが可能となる。
【００６７】
以上、本実施の形態に係る表示パネル１によれば、ゲート引出線２１０と電気的に接続された複数の第１パッド２６０とソース信号線３１０と電気的に接続された複数の第２パッド３６０とが反ソース辺に沿った額縁領域１ｂに設けられており、複数の第１パッド２６０と複数の第２パッド３６０とは、それぞれ異なる列で行方向に沿って一列で配列されている。
【００６８】
この構成により、複数の第１パッド２６０及び複数の第２パッド３６０の各列ごとに検査用プローブ４００を走査することができるので、ゲート引出線２２０及びソース信号線３１０の配線検査を個別に容易に行うことができる。
【００６９】
また、本実施の形態において、第１パッド２６０は、第２パッド３６０と列方向に沿って並んで配置されている。また、具体的には、第１パッド２６０及び第２パッド３６０は、行方向に隣接する２つの画素ＰＩＸの間を延在するゲート引出線２２０とソース信号線３１０を延長したときの直線上に位置するように並んでいる。
【００７０】
この構成により、既存の検査装置を用いて、ゲート引出線２２０とソース信号線３１０との検査を簡単に行うことができる。
【００７１】
また、本実施の形態では、ソース信号線３１０に接続された第２パッド３６０は、ゲート引出線２２０に接続された第１パッド２６０よりも画素領域１ａに近い位置に設けられており、ゲート引出線２２０と第１パッド２６０とは、隣接する２つの第２パッド３６０の間を通る中継配線２５０によって接続されている。
【００７２】
このため、画素領域１ａに近い第２パッド３６０を検査用プローブ４００でなぞる際は、検査用プローブ４００は中継配線２５０の上を通ることになるので、仮に中継配線２５０が第１パッド２６０及び第２パッド３６０の第１配線部２６１及び３６１と同様に露出していると、中継配線２５０も検査用プローブ４００でなぞられることになる。このとき、第２パッド３６０を用いたソース信号線３１０の検査を先に行ったときに中継配線２５０が断線すると、その後、第１パッド２６０を用いたゲート引出線２２０の検査を行うことができなくなってしまう。
【００７３】
そこで、本実施の形態において、中継配線２５０は、絶縁膜で覆われたゲート信号線２１０と同層に配置されており、中継配線２５０を露出させないようにしている。具体的には、中継配線２５０は、絶縁膜に形成されたコンタクトホールを経由してゲート引出線２２０と電気的に接続されている。このように、中継配線２５０を露出させないようにすることで、第２パッド３６０が検査用プローブ４００でなぞられる際に検査用プローブ４００が中継配線２５０の上を通ったとしても検査用プローブ４００が中継配線２５０に接触することがないので、中継配線２５０が断線することを防止できる。
【００７４】
ただし、中継配線２５０は、第１パッド２６０及び第２パッド３６０と同様に露出していてもよい。この場合、第２パッド３６０を検査用プローブ４００でなぞる際に第２パッド３６０の間の中継配線２５０もなぞられて中継配線２５０が断線してしまうと、中継配線２５０に接続された第１パッド２６０を用いたゲート引出線２２０の検査を行うことができない。そこで、中継配線２５０が露出している場合は、第１パッド２６０を用いたゲート引出線２２０の検査を行った後に、第２パッド３６０を用いたソース信号線３１０の検査を行うとよい。
【００７５】
なお、この順序で検査を行う場合、第２パッド３６０を用いたソース信号線３１０の検査を行う際には、中継配線２５０に接続されたゲート引出線２２０の検査が先に終わっているので、その後の第２パッド３６０を用いたソース信号線３１０の検査を行う際に中継配線２５０が検査用プローブ４００でなぞられて断線してしまっても問題は少なく、表示パネル１の通常動作には影響は大きくない。
【００７６】
また、本実施の形態では、複数のゲート引出線２２０は、３本のソース信号線３１０ごとに１本設けられており、複数の第１パッド２６０は、３つの第２パッド３６０ごとに１つ設けられている。
【００７７】
この構成により、第２パッド３６０の列を第１パッド２６０の列よりも画素領域１ａに近い位置にすることで、第１パッド２６０の列を第２パッド３６０の列よりも画素領域１ａに近い位置にする場合と比べて、第１パッド２６０とゲート引出線２２０とを接続する中継配線２５０の数を減らすことができる。これにより、中継配線２５０を無駄に長くなってしまうことを抑制できるとともに、中継配線２５０が露出している場合における中継配線２５０の検査用プローブ４００による断線を抑制できる。
【００７８】
また、本実施の形態において、第１パッド２６０は、ゲート信号線２１０と同層の下部層２６０ａと、下部層２６０ａ上に積層され、ソース信号線３１０と同層の上部層２６０ｂとの積層構造である。同様に、第２パッド３６０は、ゲート信号線２１０と同層の下部層３６０ａと、下部層３６０ａの上に積層され、ソース信号線３１０と同層の上部層３６０ｂとの積層構造である。特に、検査用プローブによってなぞられる第１配線部２６１及び３６１が積層構造となっており、第２配線部２６２及び３６２よりも厚くなっている。
【００７９】
このように、ゲート信号線２１０とソース信号線３１０とのメタル層を用いることで、第１パッド２６０及び第２パッド３６０を簡単に積層構造にすることができるとともに、第１パッド２６０及び第２パッド３６０を積層構造にとすることで、ゲート引出線２２０又はソース信号線３１０の検査時に第１パッド２６０又は第２パッド３６０（特に第１配線部２６１及び３６１）が検査用プローブ４００によって断線したり剥離したりすることを抑制できる。
【００８０】
（変形例）
以上、本開示に係る画像表示装置及び表示パネルについて、実施の形態に基づいて説明したが、本開示は、上記実施の形態に限定されるものではない。
【００８１】
例えば、上記実施の形態において、表示パネル１として液晶表示パネルを用いたが、これに限らない。例えば、表示パネル１は、有機ＥＬパネル又は無機ＥＬパネル等の他の表示デバイスであってもよい。
【００８２】
また、上記実施の形態において、表示パネル１はアクティブマトリクス駆動型の表示パネルであり、表示パネル１を構成する一対の基板の一つが、複数のＴＦＴが設けられたＴＦＴアレイ基板であったが、これに限らない。例えば、表示パネル１はパッシブマトリクス駆動型の表示パネルであってもよい。
【００８３】
また、上記実施の形態において、ゲートドライバＩＣ２ａ及びソースドライバＩＣ３ａは、ＣＯＦ方式によって表示パネル１に実装されていたが、これに限らない。例えば、ゲートドライバＩＣ２ａ及びソースドライバＩＣ３ａは、ＣＯＧ方式によって表示パネル１に実装されていてもよい。
【００８４】
また、上記実施の形態において、第１パッド２６０と第２パッド３６０とは２列に配列されていたが、これに限らない。例えば、赤色用画素、緑色用画素及び青色用画素の３つの画素ＰＩＸのそれぞれのソース信号線３１０に接続される第２パッド３６０を異なる列に配置してもよい。この場合、第１パッド２６０の１列と第２パッド３６０の２列とで合計４列のパッドの列が構成される。
【００８５】
また、上記実施の形態において、第１パッド２６０及び第２パッド３６０には、第２配線部２６２及び３６２が設けられていたが、これに限らない。つまり、第１パッド２６０及び第２パッド３６０は、第１配線部２６１及び３６１のみによって構成されていてもよい。
【００８６】
その他、上記実施の形態に対して当業者が思いつく各種変形を施して得られる形態や、本開示の趣旨を逸脱しない範囲で実施の形態における構成要素及び機能を任意に組み合わせることで実現される形態も本開示に含まれる。
【符号の説明】
【００８７】
１  表示パネル
１ａ  画素領域
１ｂ  額縁領域
２  ゲートＣＯＦ
２ａ  ゲートドライバＩＣ
３  ソースＣＯＦ
３ａ  ソースドライバＩＣ
４  画像処理回路
１０  画像表示装置
１０１  ＴＦＴ基板
１０２  ＣＦ基板
２１０  ゲート信号線
２２０  ゲート引出線
２３１、２３２、２３３、２３４  コンタクト部
２４０  ゲート中継配線
２５０  中継配線（検査用中継配線）
２６０  第１パッド
２６０ａ、３６０ａ  下部層
２６０ｂ、３６０ｂ  上部層
２６１、３６１  第１配線部
２６２、３６２  第２配線部
３１０  ソース信号線
３４０  ソース中継配線
３６０  第２パッド
４００  検査用プローブ
【図１】
2019174773.tif 000003
【図２】
2019174773.tif 000004
【図３】
2019174773.tif 000005
【図４】
2019174773.tif 000006
【図５】
2019174773.tif 000007